(57)【要約】【課題】開放電圧を正常に決定でき、かつ、回線接続端子に異常なデバイスが接続されている場合には信号を出力できる、通信装置を提供する。【解決手段】開放電圧の決定に先立ち、第２接続線Ｗ２１上のスイッチＳＷ１がオフにされて、第２接続線Ｗ２１が非導通にされる。これにより、外付電話２４がオフフック状態であっても、異常なＰＢＸやビジネスフォンなどのデバイスが回線接続端子２１に接続されていない限り、一対の第１接続線Ｗ１１，Ｗ１２間の回線電圧の値は、少なくとも閾値以上となる。回線電圧の値が閾値以上である場合には、その回線電圧の値が開放電圧に決定される。回線電圧が閾値未満である場合、開放電圧が決定されずに、異常電圧が計測されたことを報知する異常電圧報知信号が出力される。【選択図】図２
2019004239.tif 000002
【特許請求の範囲】
【請求項１】
電話回線と接続可能な２つの端子を有する回線接続端子と、
前記回線接続端子の前記２つの端子の各端子と一対の第１接続線によって接続され、前記一対の第１接続線間の電圧を計測し、かつ、前記一対の第１接続線間の閉結および開放を切り替える通信部と、
前記回線接続端子と前記通信部との間の前記一対の第１接続線のそれぞれにおける接続点と一対の第２接続線を介して接続され、外付電話と接続可能な２つの端子を有する外付電話接続端子と、
前記一対の第２接続線のうち少なくとも一方の第２接続線に設けられ、前記一方の第２接続線の導通および非導通を切り替えるスイッチと、
制御部と、
を備え、
前記制御部は、
前記スイッチに前記一方の第２接続線の非導通を指示し、前記スイッチにより前記一方の第２接続線を非導通にさせるスイッチオフ処理を実行し、
前記スイッチオフ処理後、前記一対の第１接続線間が開放され、かつ、前記一方の第２接続線が非導通とされた状態において、
前記通信部が計測する前記一対の第１接続線間の電圧の値が閾値以上であれば、前記一対の第１接続線間の電圧の値を開放電圧と決定する開放電圧決定処理を実行し、
前記通信部が計測する前記一対の第１接続線間の電圧の値が前記閾値未満であれば、第１信号を出力する第１信号出力処理を実行する、
通信装置。
【請求項２】
請求項１に記載の通信装置であって、
前記制御部は、
前記開放電圧決定処理後、前記スイッチに前記一方の第２接続線の導通を指示し、前記一方の第２接続線を導通させるスイッチオン処理を実行し、
前記スイッチオン処理に応じて前記通信部が計測する前記一対の第１接続線間の電圧の値が変化しなければ、第２信号を出力せず、前記スイッチオン処理に応じて前記通信部が計測する前記一対の第１接続線間の電圧の値が変化すれば、前記第２信号を出力する、
通信装置。
【請求項３】
請求項１または２に記載の通信装置であって、
更に、
操作部、を有し、
前記制御部は、
更に、
前記第１信号出力処理によって前記第１信号を出力後、前記操作部を介して指示があった場合、前記通信部が前記一対の第１接続線間を開放し、かつ、前記スイッチが前記一方の第２接続線を非導通にした状態において、
前記通信部が計測する前記一対の第１接続線間の電圧の値が前記閾値以上であれば、前記開放電圧決定処理を再び実行し、
前記通信部が計測する前記一対の第１接続線間の電圧の値が前記閾値未満であれば、前記第１信号出力処理を再び実行する、
通信装置。
【請求項４】
請求項２に記載の通信装置であって、
更に、
表示部、を有し、
前記制御部は、
前記第１信号を前記表示部に出力し、前記表示部に前記第１信号に関する内容を表示させ、前記第２信号を前記表示部に出力し、前記表示部に前記第２信号に関する内容を表示させる、通信装置。
【請求項５】
請求項４に記載の通信装置であって、
前記第２信号は、前記外付電話接続端子に接続されている前記外付電話がオンフックであることを示す信号である、
通信装置。
【請求項６】
請求項４または５に記載の通信装置であって、
前記第１信号は、前記回線接続端子に接続された電話回線の回線電圧が異常であることを示す信号である、
通信装置。
【発明の詳細な説明】
【技術分野】
【０００１】
本発明は、通信装置に関する。
【背景技術】
【０００２】
従来、電話回線と接続可能な２つの端子を有する回線接続端子と、外付電話と接続可能な２つの端子を有する外付電話接続端子と、を備える通信装置が知られている。回線接続端子の２つの端子の一方には、一対の第１接続線の一方が接続されている。回線接続端子の２つの端子の他方には、一対の第１接続線の他方が接続されている。外付電話接続端子の２つ端子は、一対の第１接続線に一対の第２接続線を介して接続されている。一対の第２接続線の少なくとも一方には、第２接続線の導通および切断を切り替えるスイッチが設けられている。さらに、通信装置には、通信部が備えられている。通信部により、一対の第１接続線間の電圧が計測される。また、通信部により、一対の第１接続線間の開放および閉結が切り替えられる。
【０００３】
一対の第１接続線間が開放されている状態における一対の第１接続線間の電圧は、開放電圧であって、外付電話接続端子に接続されている外付電話がオフフックされると、一対の第１接続線間の電圧降下が生じる。通信装置では、開放電圧からの電圧降下を計測することによって、外付電話接続端子に接続されている外付電話のオフフックが検出される。また、一対の第１接続線間が閉結されると、一対の第１接続線間の電圧降下が生じる。この開放電圧から電圧降下した電圧へのファクシミリ画信号の重畳によって、ファクシミリ画信号の送信等が行われる。
【先行技術文献】
【特許文献】
【０００４】
【特許文献１】特開２００６−２７０７４３号公報
【発明の概要】
【発明が解決しようとする課題】
【０００５】
通信装置の回線接続端子には、公衆電話回線と異なる電話回線であるＰＢＸ（Private Branch eXchange／構内交換機）やビジネスフォンなどが電話線を介して接続される場合がある。そのため、開放電圧が公衆電話回線の回線電圧と必ずしも一致するとは限らず、通信装置の起動時に一対の第１接続線間が開放されている状態で開放電圧を決定する必要がある。
【０００６】
しかし、通信装置の起動時に開放電圧を決定する際、外付電話の受話器が外れてオフフック状態である可能性がある。外付電話の受話器が外れてオフフック状態であると、外付電話のオフフックによる電圧降下によって、真の開放電圧の値より低い値が開放電圧と決定されてしまい、間違った開放電圧が決定されると、通信装置が外付電話のオフフックの検出や異常なＰＢＸやビジネスフォンなどのデバイスが回線接続端子に接続されているのか否か正常に決定することができなかった。
【０００７】
そこで、本発明の目的は、開放電圧を正常に決定でき、かつ、回線接続端子に異常なデバイスが接続されている場合には信号を出力できる、通信装置を提供することである。
【課題を解決するための手段】
【０００８】
前記の目的を達成するため、本発明に係る通信装置は、電話回線と接続可能な２つの端子を有する回線接続端子と、回線接続端子の２つの端子の各端子と一対の第１接続線によって接続され、一対の第１接続線間の電圧を計測し、かつ、一対の第１接続線間の閉結および開放を切り替える通信部と、回線接続端子と通信部との間の一対の第１接続線のそれぞれにおける接続点と一対の第２接続線を介して接続され、外付電話と接続可能な２つの端子を有する外付電話接続端子と、一対の第２接続線のうち少なくとも一方の第２接続線に設けられ、一方の第２接続線の導通および非導通を切り替えるスイッチと、制御部と、を備え、制御部は、スイッチに一方の第２接続線の非導通を指示し、スイッチにより一方の第２接続線を非導通にさせるスイッチオフ処理を実行し、スイッチオフ処理後、一対の第１接続線間が開放され、かつ、一方の第２接続線が非導通とされた状態において、通信部が計測する一対の第１接続線間の電圧の値が閾値以上であれば、一対の第１接続線間の電圧の値を開放電圧と決定する開放電圧決定処理を実行し、通信部が計測する一対の第１接続線間の電圧の値が閾値未満であれば、第１信号を出力する第１信号出力処理を実行する。
【０００９】
この構成によれば、開放電圧の決定に先立ち、一対の第２接続線のうちの一方の第２接続線が非導通にされる。これにより、外付電話接続端子に外付電話が接続され、その外付電話がオフフック状態（外付電話の受話器が上がっている状態）であっても、外付電話と電話回線を介して接続される交換機との間で閉回路が形成されない。
【００１０】
ゆえに、外付電話がオフフック状態であっても、異常なＰＢＸやビジネスフォンなどのデバイスが回線接続端子に接続されていない限り、一対の第１接続線間の電圧の値は、少なくとも閾値以上となる。そこで、一対の第１接続線間の電圧の値が閾値以上である場合には、異常なデバイスが回線接続端子に接続されていないので、その一対の第１接続線間の電圧の値が開放電圧に決定される。一方、異常なデバイスが回線接続端子に接続されている場合、一対の第１接続線間の電圧が閾値未満となる。この場合、開放電圧が決定されずに、第１信号が出力される。
【００１１】
よって、異常なデバイスが接続されていない状態で開放電圧を正常に決定することができ、かつ、回線接続端子に異常なデバイスが接続されている場合には第１信号を出力することができる。
【発明の効果】
【００１２】
本発明によれば、開放電圧を正常に決定することができ、かつ、回線接続端子に異常なデバイスが接続されている場合には信号を出力することができる。
【図面の簡単な説明】
【００１３】
【図１】本発明の一実施形態に係るＭＦＰの全体構成を示すブロック図である。
【図２】ＭＦＰのＦＡＸ通信部の構成を示す図である。
【図３】開放電圧決定処理の流れを示すフローチャートである。
【図４】ＭＦＰの回線接続端子に接続されている電話回線および外付電話接続端子に接続されている外付電話の各状態に応じた回線電圧の値を示す図である。
【図５】スイッチのオフにより外付電話が公衆電話回線から切り離された状態を示す概略的な回路図である。
【図６】スイッチのオフにより外付電話がＰＢＸから切り離された状態を示す概略的な回路図である。
【図７】スイッチのオンにより外付電話が公衆電話回線と接続され、外付電話がオンフックされている状態を示す概略的な回路図である。
【図８】スイッチのオンにより外付電話がＰＢＸと接続され、外付電話がオンフックされている状態を示す概略的な回路図である。
【図９】スイッチのオンにより外付電話が公衆電話回線と接続され、外付電話がオフフックされている状態を示す概略的な回路図である。
【図１０】スイッチのオンにより外付電話がＰＢＸと接続され、外付電話がオフフックされている状態を示す概略的な回路図である。
【発明を実施するための形態】
【００１４】
以下では、本発明の実施の形態について、添付図面を参照しつつ詳細に説明する。
【００１５】
＜全体構成＞
図１に示されるＭＦＰ（Multi-Function Peripheral）１は、通信装置の一例であり、プリント機能、スキャン機能およびファックス機能などの複数の機能を有している。ＭＦＰ１は、画像形成部１１、画像読取部１２、ＦＡＸ通信部１３、表示部１４、操作部１５、電源部１６、ＬＡＮインタフェース（Ｉ／Ｆ）１７およびＵＳＢインタフェース（Ｉ／Ｆ）１８を備えている。
【００１６】
画像形成部１１は、ＭＦＰ１内の搬送路を１枚ずつ搬送されるシートに対して画像データに係る画像（カラー画像またはモノクロ画像）を形成する。画像形成の方式は、電子写真方式であってもよいし、インクジェット方式であってもよい。
【００１７】
画像読取部１２は、シートに形成された画像を読み取り、画像データを出力する。画像読取の方式は、たとえば、ＣＩＳ（Contact Image Sensor）方式である。
【００１８】
ＦＡＸ通信部１３は、回線接続端子２１および外付電話接続端子２２に接続される。回線接続端子２１には、電話回線２３（図２参照）が接続される。電話回線２３には、公衆電話回線および公衆電話回線と異なる電話回線であるＰＢＸ（Private Branch eXchange／構内交換機）の回線が含まれる。ＦＡＸ通信部１３は、電話回線２３を介して交換機に接続されることにより、相手先のファックス装置から画像データを受信可能となり、また、相手先のファックス装置に対して画像データを送信可能となる。また、外付電話接続端子２２には、外付電話２４（図２参照）が接続される。外付電話２４は、電話回線２３を介して交換機に接続され、相手先の電話機と音声信号のやり取りを行うことができる。
【００１９】
表示部１４は、たとえば、液晶表示器からなる。表示部１４には、各種の情報が表示される。
【００２０】
操作部１５は、操作キー（たとえば、スタートキー、テンキー、カーソルキー、戻るキー）を備えている。操作キーの操作により、各種の指示などを操作部１５に入力することが可能である。なお、操作部１５は、表示部１４に一体的に設けられるタッチキーであってもよい。
【００２１】
電源部１６は、商用交流電源に接続されて、商用交流電源から供給される電力を各部に適した電力に変換して各部に供給する。
【００２２】
ＬＡＮインタフェース１７は、外部機器（図示せず）とのＬＡＮ（Local Area Network）接続のためのインタフェースである。ＬＡＮインタフェース１７には、ＬＡＮケーブルを接続可能な端子（図示せず）が設けられている。ＬＡＮインタフェース１７は、その端子に接続されたＬＡＮケーブルを介してＬＡＮに接続され、ＬＡＮに接続された外部機器との間で画像データや制御命令などを送受信する。
【００２３】
ＵＳＢインタフェース１８は、ＵＳＢメモリやコンピュータなどの外部機器（図示せず）とのＵＳＢ接続のためのインタフェースである。ＵＳＢインタフェース１８には、ＵＳＢ端子が設けられている。ＵＳＢインタフェース１８は、ＵＳＢ端子に接続された外部機器との間で画像データや制御命令などを送受信する。
【００２４】
また、ＭＦＰ１は、ＡＳＩＣ（Application Specific Integrated Circuit）３１、ＲＯＭ３２およびＲＡＭ３３を備えている。ＡＳＩＣ３１には、画像形成部１１、画像読取部１２、ＦＡＸ通信部１３、表示部１４、操作部１５、電源部１６、ＬＡＮインタフェース１７、ＵＳＢインタフェース１８、ＲＯＭ３２およびＲＡＭ３３が電気的に接続されている。
【００２５】
ＡＳＩＣ３１は、ＣＰＵ３４（制御部の一例）を内蔵している。ＣＰＵ３４は、ＡＳＩＣ３１に入力される情報に基づいて、各種の処理のためのプログラムを実行することにより、画像形成部１１、画像読取部１２およびＦＡＸ通信部１３などの各部を制御する。
【００２６】
ＲＯＭ３２には、ＣＰＵ３４によって実行されるプログラムおよび各種のデータなどが記憶されている。
【００２７】
ＲＡＭ３３は、ＣＰＵ３４がプログラムを実行する際のワークエリアとして使用される。また、ＲＡＭ３３には、画像形成部１１によりシートに形成される画像の画像データ、画像読取部１２により読み取られた画像データ、ならびにＦＡＸ通信部１３、ＬＡＮインタフェース１７およびＵＳＢインタフェース１８が受信した画像データなどが一時的に記憶される。
【００２８】
＜ＦＡＸ通信部＞
ＦＡＸ通信部１３（通信部の一例）は、図２に示されるように、ＤＣループ４１と、ＤＡＡ（Data Access Arrangement／データアクセスアレンジメント）４２と、ＤＡＡ４２とトランス４３を介して接続されるモデム４４とを備えている。
【００２９】
ＦＡＸ通信部１３と電気的に接続される回線接続端子２１には、一対の第１接続線Ｗ１１，Ｗ１２が接続されている。具体的には、回線接続端子２１は、モジュラジャックであり、電話回線２３と接続可能な２つの端子２１Ａ，２１Ｂを有している。端子２１Ａには、一方の第１接続線Ｗ１１の一端が接続されている。端子２１Ｂには、他方の第１接続線Ｗ１２の一端が接続されている。
【００３０】
また、ＦＡＸ通信部１３と電気的に接続される外付電話接続端子２２には、一対の第２接続線Ｗ２１，Ｗ２２が接続されている。具体的には、外付電話接続端子２２は、モジュラジャックであり、外付電話２４から延びるモジュラケーブルと接続可能な２つの端子２２Ａ，２２Ｂを有している。端子２２Ａには、一方の第２接続線Ｗ２１の一端が接続されている。第２接続線Ｗ２１の他端は、第１接続線Ｗ１１上の接続点Ｎ１（接続点の一例）において、第１接続線Ｗ１１に接続されている。第２接続線Ｗ２１の途中部分には、第２接続線Ｗ２１の導通および非導通を切り替えるスイッチＳＷ１が設けられている。端子２２Ｂには、他方の第２接続線Ｗ２２の一端が接続されている。第２接続線Ｗ２２の他端は、第１接続線Ｗ１２上の接続点Ｎ２（接続点の一例）において、第１接続線Ｗ１２に接続されている。
【００３１】
スイッチＳＷ１は、初期状態としてオンの状態である。スイッチＳＷ１がオフの状態であると、外付電話２４が電話回線２３を介して接続される相手先装置と電話通信することができない。ＭＦＰ１は、ＦＡＸ通信部１３を用いて相手先装置にファクシミリ送受信する場合は、スイッチＳＷ１をオフの状態にし、ＦＡＸ通信部１３を用いて相手先装置にファクシミリ送受信しない場合は、スイッチＳＷ１をオンの状態にすることで、電話回線２３を介して接続される相手先装置と電話通信することができるようにしている。
【００３２】
ＤＣループ４１は、第１接続線Ｗ１１上におけるＦＡＸ通信部１３内に設けられた接続点Ｎ３と、第１接続線Ｗ１２上におけるＦＡＸ通信部１３内に設けられた接続点Ｎ４とに接続されている。ＤＣループ４１は、接続点Ｎ３と接続点Ｎ４との間にスイッチＳＷ２を備えている。このスイッチＳＷ２がオンの状態で、一対の第１接続線Ｗ１１，Ｗ１２間が閉結され、電話回線２３に接続されている交換機とＤＣループ４１との間で閉回路が形成される。スイッチＳＷ２がオフの状態で、一対の第１接続線Ｗ１１，Ｗ１２間が開放される。
【００３３】
回線接続端子２１に正常な電話回線２３が接続され、スイッチＳＷ２のオフにより一対の第１接続線Ｗ１１，Ｗ１２間が開放し、スイッチＳＷ１のオンにより第２接続線Ｗ２１が導通した状態において、外付電話２４の受話器が置いてある状態、すなわち、第２接続線Ｗ２１と第２接続線Ｗ２２とが接続されていない状態であるオンフックでは、電話回線２３に接続されている交換機と外付電話２４との間で閉回路が形成されない。外付電話２４の受話器が上がっている状態、すなわち、第２接続線Ｗ２１と第２接続線Ｗ２２とが接続されている状態であるオフフックであると、交換機と外付電話２４との間で閉回路が形成され、外付電話２４と相手先の電話機との間で交換機を介して音声信号を送受することができる。
【００３４】
ＤＡＡ４２は、回線電圧計測部５１、呼出信号検出部５２、閉結制御部５３、受信部５４および送信部５５を備えている。
【００３５】
回線電圧計測部５１は、一対の第１接続線Ｗ１１，Ｗ１２間の電圧（電位差）を計測する。
【００３６】
一対の第１接続線Ｗ１１，Ｗ１２間が開放されている状態における一対の第１接続線Ｗ１１，Ｗ１２間の電圧は、開放電圧である。回線電圧計測部５１が、後述する開放電圧決定処理にて決定された開放電圧決定処理（図３参照）にて決定される開放電圧の値から電圧降下した値を計測した場合、ＭＦＰ１は、外付電話２４のオフフックを検出する。
【００３７】
また、相手先のファックス装置からの着信の際には、交換機から電話回線２３に呼出信号が送出される。呼出信号は、開放電圧に変動成分が重畳される期間とその変動成分が重畳されない期間とが交互に繰り返される信号である。呼出信号検出部５２は、ＤＣループ４１のスイッチＳＷ２がオフであり、一対の第１接続線Ｗ１１，Ｗ１２間が開放された状態で、交換機から電話回線２３に送出される呼出信号を検出する。
【００３８】
閉結制御部５３は、ＤＣループ４１のスイッチＳＷ２のオンおよびオフを切り替えることにより、一対の第１接続線Ｗ１１，Ｗ１２間の開放および閉結を制御する。
【００３９】
受信部５４は、ＤＣループ４１のスイッチＳＷ２がオンであり、一対の第１接続線Ｗ１１，Ｗ１２間が閉結されている状態で、相手先のファックス装置から送信される画像データなどの各種ＦＡＸ信号（呼出信号を除く）を受信する。
【００４０】
送信部５５は、ＤＣループ４１のスイッチＳＷ２がオンであり、一対の第１接続線Ｗ１１，Ｗ１２間が閉結されている状態で、相手先のファックス装置に相手先のファックス装置から送信される画像データなどの各種ＦＡＸ信号（呼出信号を除く）を送信する。
【００４１】
モデム４４は、ＣＰＵ６１およびレジスタ６２を備えている。モデム４４は、ＤＡＡ４２からトランス４３を介してアナログ信号を受け取り、そのアナログ信号をデジタル信号に変換（復調）してＡＳＩＣ３１に入力する。また、モデム４４は、ＡＳＩＣ３１から受け取るデジタル信号をアナログ信号に変換（変調）し、そのアナログ信号をトランス４３を介してＤＡＡ４２に送信する。
【００４２】
＜開放電圧決定処理＞
ＭＦＰ１の電源がオンされると、ＡＳＩＣ３１のＣＰＵ３４は、所定のタイミングで、図３に示される開放電圧決定処理を実行する。
【００４３】
開放電圧決定処理の実行により、ＣＰＵ３４は、第２接続線Ｗ２１上のスイッチＳＷ１をオフにする（Ｓ１）。スイッチＳＷ１のオフにより、第２接続線Ｗ２１が非導通の状態になる。
【００４４】
なお、開放電圧決定処理の実行中、ＦＡＸ通信部１３（ＤＣループ４１）のスイッチＳＷ２がオフに維持され、一対の第１接続線Ｗ１１，Ｗ１２間がスイッチＳＷ２を介して閉結されることはない。
【００４５】
その後、ＣＰＵ３４は、ＤＡＡ４２に対して回線電圧計測部５１による回線電圧の計測を指示する（Ｓ２）。この指示を受けて、回線電圧計測部５１により一対の第１接続線Ｗ１１，Ｗ１２間の電圧（回線電圧）が計測される。
【００４６】
スイッチＳＷ１がオフにされているので、外付電話２４がオンフックであるかオフフックであるかにかかわらず、回線接続端子２１に公衆電話回線が接続されている場合には、回線電圧計測部５１により、図４および図５に示されるように、公衆電話回線の回線電圧である４２〜５３Ｖが計測される。また、回線接続端子２１に正常に動作するＰＢＸの回線が接続されている場合には、図６に示されるように、ＰＢＸの回線電圧である３０〜４８Ｖが計測される。
【００４７】
回線電圧計測部５１により回線電圧が計測されると、ＣＰＵ３４は、その計測された回線電圧が閾値以上であるか否かを判別する（Ｓ３）。閾値は、ＰＢＸの回線電圧の最低値（３０Ｖ）に設定されている。
【００４８】
回線電圧計測部５１により計測される回線電圧が閾値以上である場合、回線接続端子２１には、公衆電話回線または正常に動作するＰＢＸの回線が接続されていると考えられる。そのため、ＣＰＵ３４は、回線電圧計測部５１により計測された回線電圧が閾値以上である場合（Ｓ３：ＹＥＳ）、その回線電圧を一対の第１接続線Ｗ１１，Ｗ１２間が開放されている状態における一対の第１接続線Ｗ１１，Ｗ１２間の電圧である開放電圧に決定する（Ｓ４）。
【００４９】
その後、ＣＰＵ３４は、第２接続線Ｗ２１上のスイッチＳＷ１をオンにする（Ｓ５）。スイッチＳＷ１のオンにより、第２接続線Ｗ２１が導通状態になる。このとき、外付電話２４がオンフック状態（外付電話の受話器が上がっていない状態）であれば、電話回線２３と外付電話２４との間で閉回路が形成されないので、外付電話２４の内部抵抗による電圧降下がない。そのため、図７に示されるように、回線接続端子２１に公衆電話回線が接続されている場合には、回線電圧計測部５１により計測される回線電圧が公衆電話回線の回線電圧である４２〜５３Ｖの範囲内の値から変化しない。また、図８に示されるように、回線接続端子２１にＰＢＸの回線が接続されている場合には、回線電圧計測部５１により計測される回線電圧がＰＢＸの回線電圧である３０〜４８Ｖの範囲内の値から変化しない。
【００５０】
スイッチＳＷ１がオンになっても、回線電圧計測部５１により計測される回線電圧に変化がない場合（Ｓ６：ＹＥＳ）、ＣＰＵ３４は、開放電圧決定処理を終了する。
【００５１】
一方、第２接続線Ｗ２１上のスイッチＳＷ１がオンされたときに、外付電話２４がオフフック状態（外付電話の受話器が上がっている状態）であれば、電話回線２３と外付電話２４との間で閉回路が形成される。そのため、図９に示されるように、回線接続端子２１に公衆電話回線が接続されている場合には、外付電話２４の内部抵抗による電圧降下を受けて、回線電圧計測部５１により計測される回線電圧が公衆電話回線の回線電圧である４２〜５３Ｖの範囲内の値から３０〜３５Ｖの範囲内の値に低下する。また、図１０に示されるように、回線接続端子２１にＰＢＸの回線が接続されている場合には、外付電話２４の内部抵抗による電圧降下を受けて、回線電圧計測部５１により計測される回線電圧がＰＢＸの回線電圧である３０〜４８Ｖの範囲内の値から２０〜３２Ｖの範囲内の値に低下する。
【００５２】
スイッチＳＷ１がオンになったときに、回線電圧計測部５１により計測される回線電圧が変化（低下）した場合（Ｓ６：ＮＯ）、ＣＰＵ３４は、外付電話２４のオフフック状態を警告するためのオフフック警告信号（第２信号の一例）を出力して（Ｓ７：第２信号出力）、開放電圧検知処理を終了する。オフフック警告信号の出力に応じて、表示部１４に、たとえば、外付電話２４がオフフック状態であることを警告するメッセージが表示される。
【００５３】
第２接続線Ｗ２１上のスイッチＳＷ１がオフの状態で、回線電圧計測部５１により計測される回線電圧が閾値未満、つまりＰＢＸの回線電圧の最低値未満である場合、回線接続端子２１に電話回線２３が接続されていないか、または、正常に動作しない異常なＰＢＸなどのデバイス（異常な電話回線２３）が接続されている。
【００５４】
第２接続線Ｗ２１上のスイッチＳＷ１がオフの状態で、回線電圧計測部５１により計測される回線電圧が閾値未満である場合（Ｓ３：ＮＯ）、ＣＰＵ３４は、異常電圧が計測されたことを報知する異常電圧報知信号（第１信号の一例）を出力する（Ｓ８：第１信号出力）。異常電圧報知信号の出力に応じて、表示部１４に、たとえば、回線電圧が異常であることを報知するメッセージが表示される。
【００５５】
その後、表示部１４に表示されたメッセージを見たユーザにより操作部１５が操作されて、回線電圧の再測定の指示が入力されると（Ｓ９：ＹＥＳ）、ＣＰＵ３４は、ＤＡＡ４２に対して回線電圧計測部５１による回線電圧の計測を再び指示する（Ｓ２）。
【００５６】
＜作用効果＞
この構成によれば、開放電圧の決定に先立ち、第２接続線Ｗ２１上のスイッチＳＷ１がオフにされて、第２接続線Ｗ２１が非導通にされる。これにより、外付電話接続端子２２に外付電話２４が接続され、その外付電話２４がオフフック状態（外付電話の受話器が上がっている状態）であっても、外付電話２４と電話回線２３を介して接続される交換機との間で閉回路が形成されない。
【００５７】
そのため、外付電話２４がオフフック状態であっても、異常なＰＢＸやビジネスフォンなどのデバイス（異常な電話回線２３）が回線接続端子２１に接続されていない限り、一対の第１接続線Ｗ１１，Ｗ１２間の回線電圧の値は、少なくとも閾値以上となる。そこで、一対の第１接続線Ｗ１１，Ｗ１２間の回線電圧の値が閾値以上である場合には、異常なデバイスが回線接続端子２１に接続されていないので、その一対の第１接続線Ｗ１１，Ｗ１２間の回線電圧の値が開放電圧に決定される。一方、異常なデバイスが回線接続端子２１に接続されている場合、一対の第１接続線Ｗ１１，Ｗ１２間の回線電圧が閾値未満となる。この場合、開放電圧が決定されずに、異常電圧が計測されたことを報知する異常電圧報知信号がＡＳＩＣ３１から出力される。
【００５８】
よって、開放電圧を正常に決定することができ、かつ、回線接続端子２１に異常なデバイスが接続されている場合には異常電圧報知信号を出力することができる。
【００５９】
そして、異常電圧報知信号の出力に応じて、表示部１４にメッセージが表示される。これにより、回線電圧が異常であることを報知することができる。
【００６０】
開放電圧決定後には、第２接続線Ｗ２１上のスイッチＳＷ１がオンにされて、第２接続線Ｗ２１が導通状態にされる。スイッチＳＷ１のオンに応じて回線電圧計測部５１により計測される回線電圧が変化（低下）した場合、外付電話２４のオフフック状態を警告するためのオフフック警告信号がＡＳＩＣ３１から出力される。そして、そのオフフック警告信号の出力に応じて、表示部１４にメッセージが表示される。これにより、外付電話２４がオフフック状態であることを警告することができる。
【００６１】
＜変形例＞
以上、本発明の実施の形態について説明したが、本発明は、他の形態で実施することも可能である。
【００６２】
たとえば、図２に示される構成では、第２接続線Ｗ２１の途中部分にスイッチＳＷ１が設けられているが、スイッチＳＷ１は、第２接続線Ｗ２２の途中部分に設けられて、第２接続線Ｗ２２の導通および非導通を切り替えるものであってもよい。また、スイッチＳＷ１が一対の第２接続線Ｗ２１，Ｗ２２の両方に設けられて、第２接続線Ｗ２１，Ｗ２２の導通および切断を同時に切り替えるよう、２個のスイッチＳＷ１がオンおよびオフされてもよい。
【００６３】
また、ＡＳＩＣ３１が複数のＣＰＵを備え、複数のＣＰＵが協働して各処理を実行してもよい。
【００６４】
その他、前述の構成には、特許請求の範囲に記載された事項の範囲で種々の設計変更を施すことが可能である。
【符号の説明】
【００６５】
１：ＭＦＰ
１３：ＦＡＸ通信部
１４：表示部
１５：操作部
２１：回線接続端子
２２：外付電話接続端子
２３：電話回線
２４：外付電話
３４：ＣＰＵ
ＳＷ１：スイッチ
Ｗ１１，Ｗ１２：第１接続線
Ｗ２１，Ｗ２２：第２接続線
【図１】
2019004239.tif 000003
【図２】
2019004239.tif 000004
【図３】
2019004239.tif 000005
【図４】
2019004239.tif 000006
【図５】
2019004239.tif 000007
【図６】
2019004239.tif 000008
【図７】
2019004239.tif 000009
【図８】
2019004239.tif 000010
【図９】
2019004239.tif 000011
【図１０】
2019004239.tif 000012